【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
被検体の撮像を行うことによって第１画像を取得する第１のプロトコルと、前記第１のプロトコルよりも後に実行され、第２画像を取得する第２のプロトコルとを含む、同一の被検体に関する一連のプロトコル群の実行を制御するシーケンス制御部と、
前記第１のプロトコルの実行により取得された前記第１画像を表示する表示部と、
前記第２のプロトコルの実行前に、前記表示部に表示された前記第１画像上で、前記被検体の特徴部位の入力を受け付ける入力部と、
前記特徴部位の位置情報に基づいて、前記第２のプロトコルの実行中、当該第２のプロトコルに対応するノイズキャンセリング音を、前記特徴部位に対して送出するスピーカと、
を有する磁気共鳴イメージング装置。
【請求項２】
前記特徴部位の位置ずれ量を、前記第１画像と前記第２画像とを比較することで算出する算出部を更に有し、
前記スピーカは、前記第２のプロトコルの実行中、前記特徴部位の位置ずれ量に基づいて補正された位置に、前記ノイズキャンセリング音を送出する、
請求項１に記載の磁気共鳴イメージング装置。
【請求項３】
前記第２のプロトコルの実行中に前記第２画像は複数取得されるものであって、
前記算出部は複数の前記第２画像それぞれを比較することで前記位置ずれ量を算出し、
前記特徴部位の位置情報とパルスシーケンスとのうち少なくとも１つに基づいて、前記第２のプロトコルの実行中、位置ずれ後の前記特徴部位に対応した前記ノイズキャンセリング音の設定を行う音声取得部を更に有する、
請求項２に記載の磁気共鳴イメージング装置。
【請求項４】
前記第２のプロトコルは複数実行されるものであって、
前記算出部は、複数の前記第２のプロトコルにおいて、先に実行された第２のプロトコルと後に実行された第２のプロトコルの間における前記位置ずれ量を算出し、
前記スピーカは、複数の前記第２のプロトコルにおいて、後に実行された第２のプロトコルにおける前記特徴部位に対応した前記ノイズキャンセリング音を送出する請求項２に記載の磁気共鳴イメージング装置。
【請求項５】
前記特徴部位は、前記被検体の聴覚に関わる部位である請求項１から４のうちいずれか１つに記載の磁気共鳴イメージング装置。
【請求項６】
前記スピーカは、撮像口内において、複数箇所に円周上に配置される請求項１から４のうちいずれか１つに記載の磁気共鳴イメージング装置。
【請求項７】
前記被検体に取り付けられる受信コイルを更に有し、
前記スピーカは、前記受信コイル内に配置される請求項１から４のうちいずれか１つに記載の磁気共鳴イメージング装置。
【請求項８】
ノイズを取得するマイクと、
前記特徴部位の位置情報とパルスシーケンスとのうち少なくとも１つに基づいて、前記マイクによって取得されるノイズに対して、逆位相、同振幅、及び同周波数の音である前記ノイズキャンセリング音の設定を行う音声取得部と、
を更に有する請求項１から４のうちいずれか１つに記載の磁気共鳴イメージング装置。
【請求項９】
前記被検体における前記ノイズキャンセリング音の送出先の位置を調整するためのキャリブレーション部を更に有し、
前記キャリブレーション部は、前記被検体に対してパルスシーケンスを実行し、パルスシーケンスの実行中に、複数の位置におけるノイズに対応したノイズキャンセリング音を前記スピーカより送出させるとともに、前記入力部からオペレータからの入力情報を受け付けることで前記複数の位置のうちいずれかを前記特徴部位として受け付ける、
請求項１から４のうちいずれか１つに記載の磁気共鳴イメージング装置。
【請求項１０】
前記キャリブレーション部は、前記被検体に対してＲＦパルスを送信しない状態において、前記ノイズキャンセリング音の送出先の位置の調整を受け付ける請求項９に記載の磁気共鳴イメージング装置。
【請求項１１】
被検体の撮像を行うことによって第１画像を取得する第１のプロトコルと、前記第１のプロトコルよりも後に実行され、第２画像を取得する第２のプロトコルとを含む、同一の被検体に関する一連のプロトコル群の実行を制御するシーケンス制御部と、
前記第１のプロトコルの実行により取得された前記第１画像を取得する表示部と、
前記第２のプロトコルの実行前に、前記表示部に表示された前記第１画像上で、前記被検体の特徴部位の入力を受け付ける入力部と、
前記特徴部位の位置情報に基づいて、前記第２のプロトコルの実行中に、前記特徴部位から送出される音を取得するマイクと、
前記マイクにて取得された音を調整する音声調整部と、
を有する磁気共鳴イメージング装置。
【請求項１２】
前記特徴部位の位置ずれ量を、前記第１画像と前記第２画像とを比較することで算出する算出部を更に有し、
前記音声調整部は、前記第２のプロトコルの実行中、前記マイクを介して前記特徴部位から送出される音を取得し、前記位置ずれ量に基づいて前記音の調整を行う請求項１１に記載の磁気共鳴イメージング装置。
【請求項１３】
前記第２のプロトコルの実行中に前記第２画像は複数取得されるものであって、
前記算出部は複数の前記第２画像それぞれを比較することで前記位置ずれ量を算出し、
前記音声調整部は、前記マイクを介して前記特徴部位から送出される音を取得し、前記位置ずれ量に基づいて前記音の調整を行う請求項１２に記載の磁気共鳴イメージング装置。
【請求項１４】
前記第２のプロトコルは複数実行されるものであって、
前記算出部は、複数の前記第２のプロトコルにおいて、先に実行された第２のプロトコルと後に実行された第２のプロトコルの間における前記位置ずれ量を算出し、
前記マイクは、複数の前記第２のプロトコルの実行中において、前記特徴部位から送出される音を取得し、
前記音声調整部は、複数の前記第２のプロトコルの実行中において、前記音の調整を行う請求項１２に記載の磁気共鳴イメージング装置。
【請求項１５】
前記音声調整部にて調整された前記音をオペレータに送出するスピーカを更に有する請求項１１から１４のうちいずれか１つに記載の磁気共鳴イメージング装置。
【請求項１６】
前記特徴部位は、前記被検体の発声に関わる部位である請求項１１から１４のうちいずれか１つに記載の磁気共鳴イメージング装置。
【請求項１７】
前記マイクは、撮像口内において、複数箇所に円周上に配置される請求項１１から１４のうちいずれか１つに記載の磁気共鳴イメージング装置。
【請求項１８】
前記被検体に取り付けられる受信コイルを更に有し、
前記マイクは、前記受信コイル内に配置される請求項１１から１４のうちいずれか１つに記載の磁気共鳴イメージング装置。
【請求項１９】
前記被検体からの音の発声部位に関する位置情報を調整するためのキャリブレーション部を更に有し、
前記キャリブレーション部は、前記被検体に対してパルスシーケンスを実行し、パルスシーケンスの実行中に、前記複数のマイクにて取得された音を、前記算出部から読み込んだ前記位置ずれ量に基づいて、複数の位置に対応して調整された音を前記音声調整部から出力し、前記入力部からオペレータの入力情報を受け付けることで前記複数の位置のうち、いずれかを前記特徴部位として受け付ける請求項１２から１４のうちいずれか１つに記載の磁気共鳴イメージング装置。
【請求項２０】
前記キャリブレーション部は、前記被検体に対してＲＦパルスを送信しない状態において、前記被検体からの音の発声部位に関する位置の調整を受け付ける請求項１９に記載の磁気共鳴イメージング装置。
【請求項２１】
前記第１画像は、前記被検体の３次元ＭＲデータから生成されるＭＰＲ画像である請求項１、２、３、４、１１、１２、１３、１４のうちいずれか１つに記載の磁気共鳴イメージング装置。
【請求項２２】
前記被検体を撮影した第３画像を取得するための光学撮影部と、
前記特徴部位の位置ずれ量を前記第１画像と前記第３画像とを比較することで算出する算出部と、
前記算出部が算出した前記位置ずれ量に基づいて位置ずれ後の前記特徴部位に対応した前記ノイズキャンセリング音の取得を行う音声取得部と、
を更に有する請求項１に記載の磁気共鳴イメージング装置。
【請求項２３】
前記被検体を撮影した第３画像を取得するための光学撮影部と、
前記特徴部位の位置ずれ量を前記第１画像と前記第３画像とを比較することで算出する算出部と、
前記算出部が算出した前記位置ずれ量に基づいて位置ずれ後の前記特徴部位から送出される音を取得し、前記位置ずれ量に基づいて前記音の調整を行う音声調整部と、
を更に有する請求項１１に記載の磁気共鳴イメージング装置。
【手続補正２】
【補正対象書類名】明細書
【補正対象項目名】０００６
【補正方法】変更
【補正の内容】
【０００６】
実施形態に係る磁気共鳴イメージング装置は、被検体の撮像を行うことによって第１画像を取得する第１のプロトコルと、第１のプロトコルよりも後に実行され、第２画像を取得する第２のプロトコルとを含む、同一の被検体に関する一連のプロトコル群の実行を制御するシーケンス制御部と、第１のプロトコルの実行により取得された第１画像を表示する表示部と、第２のプロトコルの実行前に、表示部に表示された第１画像上で、被検体の特徴部位の入力を受け付ける入力部と、特徴部位の位置情報に基づいて、第２のプロトコルの実行中、第２のプロトコルに対応するノイズキャンセリング音を、前記特徴部位に対して送出するスピーカを具備する。